(57)【要約】【課題】バーナの吹き出し音を抑制しつつ穀物を速やかに乾燥する乾燥風供給装置を提供する。【解決手段】穀物が入れられた乾燥室８内に乾燥風を供給して穀物を乾燥させる乾燥風供給装置３であって、熱風を吹き出すバーナ４と、バーナ４から乾燥室８に向かって延びるように形成されてバーナ４から吹き出された熱風を先端部側へ導く炎導管５と、炎導管５から乾燥室８に向かってそれぞれ延びるように配置され、炎導管５で導かれた熱風を乾燥室８に向かって吹き出すことにより乾燥室８内に乾燥風を供給する複数の供給管１２ａおよび１２ｂとを備える。【選択図】図２
2019211107.tif 000002
【特許請求の範囲】
【請求項１】
穀物が入れられた乾燥室内に乾燥風を供給して前記穀物を乾燥させる乾燥風供給装置であって、
熱風を吹き出すバーナと、
前記バーナから前記乾燥室に向かって延びるように形成されて前記バーナから吹き出された熱風を先端部側へ導く炎導管と、
前記炎導管から前記乾燥室に向かってそれぞれ延びるように配置され、前記炎導管で導かれた前記熱風を前記乾燥室に向かって吹き出すことにより前記乾燥室内に乾燥風を供給する複数の供給管とを備えることを特徴とする乾燥風供給装置。
【請求項２】
前記複数の供給管は、前記炎導管の延在方向に並んで配置されることを特徴とする請求項１に記載の乾燥風供給装置。
【請求項３】
前記複数の供給管は、前記炎導管の周方向に並んで配置されることを特徴とする請求項１または２に記載の乾燥風供給装置。
【請求項４】
前記複数の供給管は、横断面の面積を互いに足し合わせた総面積が前記炎導管の横断面の面積以上になるように形成されることを特徴とする請求項１〜３のいずれか一項に記載の乾燥風供給装置。
【請求項５】
前記炎導管は、前記乾燥室において前記穀物が流下する流下方向に対して交差する方向に前記バーナから延びるように配置された主管と、前記主管から上方に延びるように配置されて前記乾燥室に側部が対向する対向管とを有し、
前記複数の供給管が、前記対向管の側部から前記乾燥室に向かってそれぞれ延びるように配置されることを特徴とする請求項１〜４のいずれか一項に記載の乾燥風供給装置。
【請求項６】
前記複数の供給管の延長線に重なるように配置され、前記複数の供給管から吹き出される前記熱風の流れを乱すように形成された乱流形成部をさらに有することを特徴とする請求項１〜５のいずれか一項に記載の乾燥風供給装置。
【請求項７】
前記乱流形成部は、板形状を有すると共に前記複数の供給管にそれぞれ対応して配置され、前記複数の供給管の先端部近傍から前記複数の供給管の延長線上に張り出すように配置された複数の乱流板を有し、
前記複数の乱流板を避けるように前記熱風の流れが乱されて外気と混合された乾燥風が前記乾燥室内に供給されることを特徴とする請求項６に記載の乾燥風供給装置。
【請求項８】
前記複数の乱流板は、基端部から先端部に向かって幅が徐々に小さくなるように形成されることを特徴とする請求項７に記載の乾燥風供給装置。
【発明の詳細な説明】
【技術分野】
【０００１】
この発明は、乾燥風供給装置に係り、特に、穀物が入れられた乾燥室内に乾燥風を供給して穀物を乾燥させる乾燥風供給装置に関する。
【背景技術】
【０００２】
従来から、籾などの穀物が入れられた乾燥室内に乾燥風を供給して穀物を乾燥させる乾燥風供給装置が実用化されている。例えば、熱風を吹き出すバーナを配置し、このバーナから吹き出される熱風を外気と混合して乾燥室内に供給することで、乾燥室内の穀物を乾燥させることができる。ここで、穀物の乾燥速度に応じて乾燥風供給装置の駆動音、例えばバーナから熱風を吹き出す吹き出し音が大きくなる場合があり、この駆動音を低減しつつ穀物を速やかに乾燥させることが求められている。
【０００３】
そこで、乾燥風供給装置の駆動音を低減する技術として、例えば、特許文献１には、ヒータを熱源とする第２燃焼手段を燃焼装置に追加して、乾燥運転の騒音を低減すると共に排気ガスを低減する穀物乾燥機が提案されている。この穀物乾燥機は、昼間時はバーナを熱源として穀物を乾燥させ、夜間時はセラミックヒータを熱源として穀物を乾燥させるため、夜間時の駆動音を低減すると共にセラミックヒータとバーナにより穀物を速やかに乾燥させることができる。
【先行技術文献】
【特許文献】
【０００４】
【特許文献１】特開２００１−１３３１５３号公報
【発明の概要】
【発明が解決しようとする課題】
【０００５】
しかしながら、乾燥風供給装置の駆動音を低減するためにバーナを停止させるため、穀物乾燥機の機能が制限されるといった問題があった。
【０００６】
この発明は、このような従来の問題点を解消するためになされたもので、バーナの吹き出し音を抑制しつつ穀物を速やかに乾燥する乾燥風供給装置を提供することを目的とする。
【課題を解決するための手段】
【０００７】
この発明に係る乾燥風供給装置は、穀物が入れられた乾燥室内に乾燥風を供給して穀物を乾燥させる乾燥風供給装置であって、熱風を吹き出すバーナと、バーナから乾燥室に向かって延びるように形成されてバーナから吹き出された熱風を先端部側へ導く炎導管と、炎導管から乾燥室に向かってそれぞれ延びるように配置され、炎導管で導かれた熱風を乾燥室に向かって吹き出すことにより乾燥室内に乾燥風を供給する複数の供給管とを備えるものである。
【０００８】
ここで、複数の供給管は、炎導管の延在方向に並んで配置することができる。
【０００９】
また、複数の供給管は、炎導管の周方向に並んで配置することができる。
【００１０】
また、複数の供給管は、横断面の面積を互いに足し合わせた総面積が炎導管の横断面の面積以上になるように形成することができる。
【００１１】
また、炎導管は、乾燥室において穀物が流下する流下方向に対して交差する方向にバーナから延びるように配置された主管と、主管から上方に延びるように配置されて乾燥室に側部が対向する対向管とを有し、複数の供給管が、対向管の側部から乾燥室に向かってそれぞれ延びるように配置されることが好ましい。
【００１２】
また、複数の供給管の延長線に重なるように配置され、複数の供給管から吹き出される熱風の流れを乱すように形成された乱流形成部をさらに有することが好ましい。
【００１３】
乱流形成部は、板形状を有すると共に複数の供給管にそれぞれ対応して配置され、複数の供給管の先端部近傍から複数の供給管の延長線上に張り出すように配置された複数の乱流板を有し、複数の乱流板を避けるように熱風の流れが乱されて外気と混合された乾燥風が乾燥室内に供給されることが好ましい。
【００１４】
また、複数の乱流板は、基端部から先端部に向かって幅が徐々に小さくなるように形成することが好ましい。
【発明の効果】
【００１５】
この発明によれば、複数の供給管が、対向部から乾燥室に向かってそれぞれ延びるように配置され、対向部へ導かれた熱風を乾燥室に向かって吹き出すことにより乾燥室内に乾燥風を供給するので、バーナの吹き出し音を抑制しつつ穀物を速やかに乾燥する乾燥風供給装置を提供することが可能となる。
【図面の簡単な説明】
【００１６】
【図１】この発明の実施の形態に係る乾燥風供給装置を備えた穀物乾燥機の構成を示す図である。
【図２】乾燥風供給装置の構成を示す図である。
【図３】複数の供給管と乱流形成部の構成を示す図である。
【図４】乾燥室の要部を示す図である。
【発明を実施するための形態】
【００１７】
以下、この発明の実施の形態を添付図面に基づいて説明する。
図１（ａ）および（ｂ）に、この発明の実施の形態に係る乾燥風供給装置を備えた穀物乾燥機の構成を示す。ここで、図１（ａ）は正面図であり、図１（ｂ）は側面図である。この穀物乾燥機は、乾燥機本体１と、搬送部２と、乾燥風供給装置３とを有する。
【００１８】
乾燥機本体１は、上下方向Ｄ１に長く形成された箱形状を有し、内部に穀物を入れて乾燥させるための乾燥室が形成されている。穀物としては、例えば籾および麦などが挙げられる。
搬送部２は、乾燥機本体１の一側部１ａに沿って上下方向Ｄ１に延びるように配置され、乾燥機本体１の下部から上部に穀物を順次搬送して、上部から乾燥機本体１の乾燥室に穀物を投入するものである。これにより、乾燥機本体１の乾燥室を穀物が順次流下し、乾燥機本体１の下部に達した穀物が再び搬送部２で搬送されることにより穀物が循環される。搬送部２は、例えば、バケットを昇降させて穀物を搬送する、いわゆるバケット式の搬送装置を用いることができる。
【００１９】
乾燥風供給装置３は、乾燥機本体１の一側部１ａ側に配置されたバーナ４を有し、このバーナ４が炎導管５を介して生成部６に接続されている。また、乾燥機本体１において一側部１ａの反対側に位置する他側部１ｂには排気ファン７が配置されている。
バーナ４は、熱風を生成して吹出口４ａから熱風を吹き出すもので、上下方向Ｄ１に直交する幅方向Ｄ２に熱風を吹き出すように配置されている。
炎導管５は、バーナ４から吹き出された熱風を生成部６に導くもので、管形状を有し、バーナ４の吹出口４ａから生成部６に向かって延びるように形成されている。
【００２０】
生成部６は、炎導管５で導かれた熱風を外気と混合して乾燥風を生成するためのもので、箱形状を有し、その内部に乾燥風を生成するための生成室が形成されている。また、生成部６には、生成室に外気を取り入れるための取入口６ａが設けられている。この取入口６ａには、外気中の藁くずなどの大きなゴミおよびネズミなどの小動物などが生成室に入らないようにメッシュ状のフィルタが配置されている。
排気ファン７は、乾燥機本体１の乾燥室に接続され、生成部６から乾燥室内に供給される乾燥風を乾燥機本体１の他側部１ｂ側から外部に排出するものである。
【００２１】
次に、乾燥風供給装置３の構成について詳細に説明する。
図２に示すように、生成部６は、乾燥機本体１の乾燥室８に対向するように配置されている。乾燥機本体１の一側部１ａには、乾燥室８に開口する２つの開口部８ａおよび８ｂが形成されており、生成部６は、この開口部８ａおよび８ｂを覆うように配置されている。また、生成部６の内部には、開口部８ａおよび８ｂを介して乾燥室８と連通する生成室１１が形成されている。
【００２２】
炎導管５は、バーナ４から乾燥機本体１の乾燥室８に向かってＬ字状に延びるように配置されている。具体的には、炎導管５は、バーナ４から幅方向Ｄ２に延びるように配置、すなわち乾燥室８を流下する穀物の流下方向と直交する方向に延びるように配置された主管９と、主管９から上方に延びるように配置された対向管１０とを有する。
【００２３】
主管９は、円管形状を有し、バーナ４の吹出口４ａに接続されてバーナ４から吹き出される熱風を幅方向Ｄ２に導くものである。
対向管１０は、円管形状を有し、主管９の先端部近傍に接続されて主管９で導かれた熱風を上方に導くものである。対向管１０は、上半部が生成部６の生成室１１内に配置されており、その側部が乾燥室８の一側部１ａに対向して対向部１０ａを形成する。
【００２４】
ここで、対向管１０には、対向部１０ａから乾燥室８に向かって延びるように形成された複数の供給管１２ａおよび１２ｂが配置されている。具体的には、複数の供給管１２ａと複数の供給管１２ｂは、対向部１０ａの周方向に異なる位置において対向部１０ａの延在方向に並ぶように配置されている。複数の供給管１２ａは、乾燥機本体１の開口部８ａに対応して配置されており、開口部８ａに向かって延びるように形成されている。一方、複数の供給管１２ｂは、乾燥機本体１の開口部８ｂに対応して配置されており、開口部８ｂに向かって延びるように形成されている。
【００２５】
さらに、複数の供給管１２ａの先端部近傍に乱流形成部１３ａが配置され、複数の供給管１２ｂの先端部近傍に乱流形成部１３ｂが配置されている。
乱流形成部１３ａは、複数の供給管１２ａにわたるように上下方向Ｄ１に延びる板形状を有し、複数の供給管１２ａの間に対応する部分を切り欠いて隙間Ｇが形成されている。これにより、互いに連結された複数の乱流板１４ａが、複数の供給管１２ａに対応して配置されることになる。複数の乱流板１４ａは、複数の供給管１２ａの先端部近傍から乾燥室８側に張り出すように配置され、基端部から先端部に向かって幅が徐々に小さくなるように形成されている。
【００２６】
同様に、乱流形成部１３ｂは、複数の供給管１２ｂにわたるように上下方向Ｄ１に延びる板形状を有し、複数の供給管１２ｂの間に対応する部分を切り欠いて隙間Ｇが形成されている。これにより、互いに連結された複数の乱流板１４ｂが、複数の供給管１２ｂに対応して配置されることになる。複数の乱流板１４ｂは、複数の供給管１２ｂの先端部近傍から乾燥室８側に張り出すように配置され、基端部から先端部に向かって幅が徐々に小さくなるように形成されている。
【００２７】
次に、複数の供給管１２ａおよび１２ｂと乱流形成部１３ａおよび１３ｂの構成について詳細に説明する。
図３（ａ）に乾燥機本体１の他側部１ｂ側から一側部１ａ側に見た時の正面図を示し、図３（ｂ）に上面図を示す。このように、複数の供給管１２ａと複数の供給管１２ｂは、対向部１０ａの延在方向に並んで配置されると共に対向部１０ａの周方向に並んで配置されている。また、複数の供給管１２ａおよび１２ｂは、横断面Ｐ１の面積を互いに足し合わせた総面積が対向管１０の横断面Ｐ２の面積以上になるように形成されている。ここで、横断面Ｐ１は、複数の供給管１２ａおよび１２ｂの延在方向に直交する断面であり、横断面Ｐ２は、対向管１０の延在方向に直交する断面である。
【００２８】
また、乱流形成部１３ａおよび１３ｂは、それぞれ、複数の供給管１２ａおよび１２ｂの延長線に重なるように配置されている。具体的には、複数の乱流板１４ａおよび１４ｂが、複数の供給管１２ａおよび１２ｂの先端部近傍から複数の供給管１２ａおよび１２ｂの延長線上に張り出すように配置されている。
これにより、複数の供給管１２ａおよび１２ｂから吹き出される熱風の流れが、複数の乱流板１４ａおよび１４ｂを避けるように乱される。そして、熱風の流れが乱されることにより、熱風が外気と混合されて乾燥風を生成し、その乾燥風が乾燥機本体１の乾燥室８に供給されることになる。
【００２９】
次に、乾燥機本体１の乾燥室８の構成について詳細に説明する。
図４に示すように、乾燥室８には、乾燥風を流通させるための複数の流通室１５ａ，１５ｂ，１５ｃ，１５ｄおよび１５ｅと、穀物が流下する複数の流下室１６ａ，１６ｂ，１６ｃおよび１６ｄとが配置されている。
複数の流通室１５ａ〜１５ｅと複数の流下室１６ａ〜１６ｄは、幅方向Ｄ２に交互に並んで配置されている。すなわち、流通室１５ａと流通室１５ｂの間に流下室１６ａが配置されると共に、流通室１５ｂと流通室１５ｃの間に流下室１６ｂが配置され、流通室１５ｃと流通室１５ｄの間に流下室１６ｃが配置され、さらに流通室１５ｄと流通室１５ｅの間に流下室１６ｄが配置されている。
【００３０】
ここで、流通室１５ｄに対応して開口部８ａが形成されており、開口部８ａを介して生成室１１から流通室１５ｄに乾燥風が供給される。同様に、流通室１５ｂに対応して開口部８ｂが形成されており、開口部８ｂを介して生成室１１から流通室１５ｂに乾燥風が供給される。一方、流通室１５ａ，１５ｃおよび１５ｅは、排気ファン７に接続されている。
複数の流下室１６ａ〜１６ｄは、それぞれ穀物が流下するように形成されている。また、複数の流通室１５ａ〜１５ｅと複数の流下室１６ａ〜１６ｄとの間に配置された隔壁１７には、複数の開孔部１８が形成されている。これにより、流通室１５ｂおよび１５ｄに供給された乾燥風は、複数の開孔部１８を介して流下室１６ａ〜１６ｄに流入し、そのまま流下室１６ａ〜１６ｄを横断して流通室１５ａ，１５ｃおよび１５ｅから排気ファン７により外部に排出される。
【００３１】
次に、この実施の形態の動作について説明する。
まず、図１に示すように、乾燥機本体１に収容された穀物が搬送部２により乾燥機本体１の下部から上部に搬送されて、乾燥機本体１の上部から内部に順次投入される。乾燥機本体１内に投入された穀物は、乾燥機本体１内を流下して乾燥機本体１の下部まで達すると、再度、搬送部２により搬送される。これにより、乾燥機本体１と搬送部２の間で穀物が循環することになる。
【００３２】
また、乾燥風供給装置３および排気ファン７が駆動されて、バーナ４から熱風が吹き出され、その吹き出された熱風が炎導管５により生成部６へ導かれる。具体的には、図２に示すように、バーナ４から炎導管５の主管９に熱風が吹き出されると、その熱風が主管９の先端部近傍まで導かれ、その後、対向管１０により生成部６の生成室１１に向かって上方に導かれる。そして、対向管１０の対向部１０ａに導かれた熱風は、複数の供給管１２ａおよび１２ｂから乾燥機本体１の開口部８ａおよび８ｂに向かって吹き出される。
【００３３】
このとき、複数の供給管１２ａおよび１２ｂは、対向部１０ａから開口部８ａおよび８ｂに向かって延びるように形成されているため、熱風の吹き出し音を乾燥機本体１に向かって指向性を持たせて伝搬させることができる。このため、例えば対向管１０に複数の開口を形成して熱風を吹き出す場合と比較して、吹き出し音を乾燥機本体１側の狭い範囲に伝搬させることができ、吹き出し音が外部に漏れることを抑制することができる。また、炎導管５を長く形成することなく、複数の供給管１２ａおよび１２ｂを配置するだけで熱風の吹き出し音を抑制するため、炎導管５をコンパクトに形成して省スペース化することができる。
【００３４】
また、図３（ａ）および（ｂ）に示すように、複数の供給管１２ａおよび１２ｂは、横断面Ｐ１の面積を互いに足し合わせた総面積が対向管１０の横断面Ｐ２の面積以上になるように形成されている。これにより、対向管１０内の圧力が高まることを抑制することができ、複数の供給管１２ａおよび１２ｂから熱風をスムーズに吹き出して熱風の吹き出し音を抑制することができる。
【００３５】
このようにして、複数の供給管１２ａおよび１２ｂから吹き出された熱風は、複数の供給管１２ａおよび１２ｂの延長線上に張り出すように配置された複数の乱流板１４ａおよび１４ｂに妨げられて流れが乱される。ここで、生成室１１には、排気ファン７の排気に従って取入口６ａから外気が取り入れられている。このため、複数の乱流板１４ａおよび１４ｂで熱風の流れが乱されることにより、熱風を外気と混合して温度が平均化された乾燥風を簡単に生成することができる。
【００３６】
このとき、複数の乱流板１４ａおよび１４ｂは、互いの間に隙間Ｇが形成されているため、複数の乱流板１４ａおよび１４ｂを避けた熱風が隙間Ｇを通して大きく蛇行するように流通させることができ、熱風が外気と充分に混合された乾燥風を生成することができる。
また、複数の乱流板１４ａおよび１４ｂは、基端部から先端部に向かって幅が徐々に小さくなるように形成されているため、複数の乱流板１４ａおよび１４ｂを避けた熱風をスムーズに外気と混合させることができ、熱風の吹き出し音を抑制しつつ熱風を外気と混合させることができる。
さらに、図３（ｂ）に示すように、複数の乱流板１４ａおよび１４ｂは、複数の供給管１２ａおよび１２ｂから吹き出される熱風の流れをスムーズに変えるような角度で複数の供給管１２ａおよび１２ｂに配置されている。このため、熱風の吹き出し音を抑制しつつ熱風を外気と混合させることができる。
【００３７】
また、複数の供給管１２ａおよび１２ｂから熱風を吹き出すため、例えば対向管１０から熱風を一度に吹き出すものと比較して、乾燥室８の幅広い範囲に熱風を吹き出すことができ、乾燥室８内の穀物を速やかに乾燥させることができる。
ここで、複数の供給管１２ａおよび１２ｂは、対向部１０ａの延在方向および周方向に並んで配置されているため、乾燥室８の幅広い範囲に的確に熱風を吹き出すことができ、乾燥室８内の穀物をより速やかに乾燥させることができる。
さらに、対向管１０は、主管９から上方に延びるように配置、すなわち穀物の流下方向に沿うように配置されているため、例えば乾燥室８の下側から熱風を供給する場合と比較して、穀物の間を通すように乾燥風を供給することができ、乾燥室８内の穀物をより速やかに乾燥させることができる。
【００３８】
このようにして、熱風を外気と混合して生成された乾燥風は、図４に示すように、開口部８ａおよび８ｂを介して流通室１５ｂおよび１５ｄに供給される。ここで、流通室１５ａ，１５ｃおよび１５ｅ内の空気は排気ファン７により外部に順次排気されている。このため、流通室１５ｂおよび１５ｄに供給された乾燥風は、隔壁１７に形成された複数の開孔部１８を介して、流通室１５ａ，１５ｃおよび１５ｅに向かって流下室１６ａ〜１６ｄを横断するように流通する。このとき、流下室１６ａ〜１６ｄには、乾燥機本体１の上部から投下された穀物が順次流下しており、流下室１６ａ〜１６ｄを流通する乾燥風により穀物を乾燥させることができる。
このとき、乱流形成部１３ａおよび１３ｂが、熱風と外気を充分に混合して乾燥風を生成するため、流下室１６ａ〜１６ｄの穀物を一様に乾燥させることができる。
【００３９】
本実施の形態によれば、複数の供給管１２ａおよび１２ｂが、対向管１０の対向部１０ａから乾燥室８に向かってそれぞれ延びるように配置され、対向部１０ａへ導かれた熱風を乾燥室８に向かって吹き出すことにより乾燥室８内に乾燥風を供給する。このため、複数の供給管１２ａおよび１２ｂから吹き出される熱風を乾燥室８の幅広い範囲に吹き出すと共に熱風の吹き出し音を乾燥室８に向かって伝搬させることができ、バーナ４の吹き出し音を抑制しつつ穀物を速やかに乾燥することができる。
【００４０】
なお、上記の実施の形態では、炎導管５は、乾燥室８の一側部１ａに対向管１０の対向部１０ａが対向するように配置されたが、乾燥室８に対向部１０ａが対向すればよく、これに限られるものではない。例えば、炎導管５は、乾燥室８の底部に対向部１０ａが対向するように配置することができる。すなわち、複数の供給管１２ａおよび１２ｂが、乾燥室８の底部に向かって延びるように配置されて、乾燥室８の底部に向かって熱風を吹き出すこともできる。
【００４１】
また、上記の実施の形態では、複数の供給管１２ａおよび１２ｂは、対向部１０ａの延在方向に並んで配置されると共に対向部１０ａの周方向に並んで配置されているが、対向部１０ａから乾燥室８に向かって延びるように配置されていればよく、これに限られるものではない。例えば、複数の供給管１２ｂを除いて、複数の供給管１２ａのみを対向部１０ａに配置することもできる。
また、上記の実施の形態では、複数の供給管１２ａおよび１２ｂは、乾燥室８に対向する対向管１０の対向部１０ａに配置されたが、炎導管５から乾燥室８に向かってそれぞれ延びるように配置されていればよく、これに限られるものではない。
【００４２】
また、上記の実施の形態では、複数の供給管１２ａおよび１２ｂは、横断面Ｐ１の面積を互いに足し合わせた総面積が対向管１０の横断面Ｐ２の面積以上になるように形成されたが、横断面Ｐ１の面積を互いに足し合わせた総面積が炎導管５の横断面の面積以上になるように形成されていればよく、これに限られるものではない。
【００４３】
また、上記の実施の形態では、乱流形成部１３ａおよび１３ｂが、複数の供給管１２ａおよび１２ｂから吹き出される熱風の流れを乱すように配置されたが、乾燥室８内に乾燥風を供給できればよく、乱流形成部１３ａおよび１３ｂを除いて、複数の供給管１２ａおよび１２ｂから吹き出される熱風を外気と自然に混合させて乾燥風を生成することもできる。
【００４４】
また、上記の実施の形態では、乾燥風は、複数の供給管１２ａおよび１２ｂから吹き出される熱風と外気を混合して生成されたが、乾燥室８内の穀物を乾燥させることができればよく、これに限られるものではない。例えば、複数の供給管１２ａおよび１２ｂから吹き出される熱風を乾燥風として乾燥室８に直接供給することもできる。
【００４５】
また、上記の実施の形態では、乱流形成部１３ａおよび１３ｂは、複数の供給管１２ａおよび１２ｂの先端部近傍から張り出すように配置された複数の乱流板１４ａおよび１４ｂから構成されたが、複数の供給管１２ａおよび１２ｂの延長線に重なるように配置されて熱風の流れを乱すことができればよく、複数の乱流板１４ａおよび１４ｂに限られるものではない。
【００４６】
また、上記の実施の形態では、複数の乱流板１４ａおよび１４ｂは、互いに連結するように形成されたが、複数の供給管１２ａおよび１２ｂの延長線上に張り出すように形成されていればよく、互いに分離して配置してもよい。
【符号の説明】
【００４７】
１  乾燥機本体、１ａ  一側部、１ｂ  他側部、２  搬送部、３  乾燥風供給装置、４  バーナ、４ａ  吹出口、５  炎導管、６  生成部、６ａ  取入口、７  排気ファン、８  乾燥室、８ａ，８ｂ  開口部、９  主管、１０  対向管、１０ａ  対向部、１１  生成室、１２ａ，１２ｂ  複数の供給管、１３ａ，１３ｂ  乱流形成部、１４ａ，１４ｂ  複数の乱流板、１５ａ〜１５ｅ  流通室、１６ａ〜１６ｄ  流下室、１７  隔壁、１８  開孔部、Ｄ１  上下方向、Ｄ２  幅方向、Ｇ  隙間、Ｐ１  供給管の横断面、Ｐ２  対向管の横断面。
【図１】
2019211107.tif 000003
【図２】
2019211107.tif 000004
【図３】
2019211107.tif 000005
【図４】
2019211107.tif 000006